(57)【要約】【課題】装着性、フィット性及び保温性に優れた少なくとも腹部から大腿部にかかる長さを有する編地からなる被服を提供すること。【解決手段】腹部Ｈ１から臀部Ｈ２、さらに、大腿部Ｈ３にかかる長さを有する編地からなり、腹巻き１の前身頃及び後ろ身頃の中央位置に下端縁から股下に到るスリット１１が形成される。【選択図】図１
2013129943.tif 000002
【特許請求の範囲】
【請求項１】
少なくとも腹部から大腿部にかかる長さを有する編地からなる被服であって、該被服の前身頃及び後ろ身頃の中央位置に下端縁から股下に到るスリットが形成されてなることを特徴とする被服。
【請求項２】
腹部から大腿部にかかる長さ部分が、スリットを形成した部分を除いて、円筒状の編地からなることを特徴とする請求項１記載の被服。
【請求項３】
被服の下端部に上端が開口して袋状となるようにしたシート材を配設したことを特徴とする請求項１又は２記載の被服。
【請求項４】
前記シート材の表面に滑り止めを施してなることを特徴とする請求項３記載の被服。
【請求項５】
前記滑り止めが、毛先側が上方に向く起毛からなることを特徴とする請求項４記載の被服。
【発明の詳細な説明】
【技術分野】
【０００１】
本発明は、被服に関し、特に、少なくとも腹部から大腿部にかかる長さを有する編地からなる被服に関するものである。
【背景技術】
【０００２】
従来、大腿部にかかる長さを有するワイシャツ、ブラウス等の被服においては、裾をズボンやスカートの中に入れた際にかさばることでシルエットが崩れることがないように薄地の織布が用いられるのが一般的であった。
このため、この種の被服は、装着したときのフィット性が悪く、また、保温性が低いものであった。
【０００３】
一方、保温性を有する腹巻き、ベスト等の被服においては、装着上の理由から、腹部からせいぜい臀部にかかる長さのものしかなく、大腿部を保温することができなかった。
【発明の概要】
【発明が解決しようとする課題】
【０００４】
本発明は、上記従来の各種被服の有する問題点に鑑み、装着性、フィット性及び保温性に優れた少なくとも腹部から大腿部にかかる長さを有する編地からなる被服を提供することを目的とする。
【課題を解決するための手段】
【０００５】
上記目的を達成するため、本発明の被服は、少なくとも腹部から大腿部にかかる長さを有する編地からなる被服であって、該被服の前身頃及び後ろ身頃の中央位置に下端縁から股下に到るスリットが形成されてなることを特徴とする。
【０００６】
この場合において、腹部から大腿部にかかる長さ部分を、スリットを形成した部分を除いて、円筒状の編地から構成することができる。
【０００７】
また、被服の下端部に上端が開口して袋状となるようにしたシート材を配設することができる。
【０００８】
また、前記シート材の表面に、毛先側が上方に向く起毛等からなる滑り止めを施すようにすることができる。
【発明の効果】
【０００９】
本発明の被服によれば、少なくとも腹部から大腿部にかかる長さを有する編地からなる被服であって、該被服の前身頃及び後ろ身頃の中央位置に下端縁から股下に到るスリットが形成されてなることから、裾をズボンやスカートの中に入れた際にかさばらず、このため、シルエットが崩れることがなく、装着性及びフィット性、さらに、大腿部の保温性に優れたものとすることができる。
【００１０】
また、腹部から大腿部にかかる長さ部分を、スリットを形成した部分を除いて、円筒状の編地から構成することにより、簡易に製造することができる。
【００１１】
また、被服の下端部に上端が開口して袋状となるようにしたシート材を配設することにより、被服を着用する際に、上端が開口した袋状部に手を入れて、被服の裾を下方に伸ばすようにすることにより、被服をきっちりと装着することができ、また、被服の着用時に、被服の裾が上方に移動したり、乱れることを防止することができる。
【００１２】
また、前記シート材の表面に、毛先側が上方に向く起毛等からなる滑り止めを施すようにすることにより、被服の着用時に、被服の裾が上方に移動したり、乱れることをより確実に防止することができる。
【図面の簡単な説明】
【００１３】
【図１】本発明の被服の第１実施例を示す正面図である。
【図２】本発明の被服の第２実施例を示す正面図である。
【図３】本発明の被服の第３実施例を示す正面図である。
【発明を実施するための形態】
【００１４】
以下、本発明の被服の実施の形態を、図面に基づいて説明する。
【実施例１】
【００１５】
図１に、本発明の被服の第１実施例である腹巻きを示す。
この腹巻き１は、腹部Ｈ１から臀部Ｈ２、さらに、大腿部Ｈ３にかかる長さを有する編地からなり、腹巻き１の前身頃及び後ろ身頃の中央位置に下端縁から股下に到るスリット１１が形成されてなるものである。
【００１６】
そして、この腹巻き１は、全長（腹部Ｈ１から臀部Ｈ２、さらに、大腿部Ｈ３にかかる長さ部分）を、スリット１１を形成した部分を除いて、円筒状の編地から構成するようにしている。
【００１７】
この場合において、編地には、メリヤス編のほか任意の編み方を採用することができる。
【００１８】
編地の素材構成は、ＪＩＳ Ｌ １０１８「メリヤス生地試験方法」の定速伸長法のグラブ法に基づいて測定した場合の縦方向又は横方向のいずれか又は双方の伸長率が２０％以上、好ましくは３０％以上、さらに好ましくは４０％以上、伸長回復率が３０％以上、好ましくは４０％以上、さらに好ましくは５０％以上の編地を採用することが好ましい。
【００１９】
編地の生地厚さは、３ｍｍ以下、好ましくは２ｍｍ以下で、０．５ｍｍ以上の編地を採用することが好ましい。
編地の生地厚さが３ｍｍより厚くなると、裾をズボンやスカートの中に入れた際にかさばることでシルエットが崩れることになりやすく、また、０．５ｍｍより薄くなると、保温性が低いものとなり、いずれも好ましくない。
【００２０】
編地を構成する繊維は、合成繊維、天然繊維及び両者の混紡の区別なく使用でき、特に限定されるものではないが、例えば、ポリアミド系繊維、ポリエステル系繊維、アクリル系繊維、ポリプロピレン系繊維等の合成繊維、アセテート、レーヨン等の半合性繊維、羊毛、絹、木綿、麻等天然繊維のいずれが含まれてもよい。
【００２１】
この腹巻き１は、腹巻き１の前身頃及び後ろ身頃の中央位置に下端縁から股下に到るスリット１１が形成されてなることから、裾（大腿部Ｈ３にかかる長さ部分）をズボンやスカートの中に入れた際にかさばらず、このため、シルエットが崩れることがなく、装着性及びフィット性、さらに、大腿部の保温性に優れたものとすることができる。
【００２２】
また、全長（腹部Ｈ１から臀部Ｈ２、さらに、大腿部Ｈ３にかかる長さ部分）を、スリット１１を形成した部分を除いて、円筒状の編地から構成することにより、簡易に製造することができる。
【実施例２】
【００２３】
図２に、本発明の被服の第２実施例であるベスト（チョッキ）を示す。
このベスト２は、上半身部Ｈ０から腹部Ｈ１、臀部Ｈ２、さらに、大腿部Ｈ３にかかる長さを有する編地からなり、ベスト２の前身頃及び後ろ身頃の中央位置に下端縁から股下に到るスリット２１が形成されてなるものである。
【００２４】
そして、このベスト２は、腹部Ｈ１から臀部Ｈ２、さらに、大腿部Ｈ３にかかる長さ部分を、スリット２１を形成した部分を除いて、円筒状の編地から構成するようにしている。
【００２５】
このベスト２のその他の構成及び作用は、第１実施例の腹巻き１と同様である。
【実施例３】
【００２６】
図３に、本発明の被服の第３実施例であるベストを示す。
このベスト２は、第２実施例のものの下端部に上端が開口して袋状となるようにしたシート材２２を配設するようにしたものである。
【００２７】
シート材２２には、織布等の任意のシート材を使用するほか、ベスト２を構成する編地の裾を折り返すようにして、適宜箇所をベスト２に縫い付けること等により固定して、上端が開口した袋状部を形成するようにする。
これにより、ベスト２を着用する際に、シート材２２によって形成された、上端が開口した袋状部に手を入れて、ベスト２の裾を下方に伸ばすようにすることにより、ベスト２をきっちりと装着することができ、また、ベスト２の着用時に、ベスト２の裾が上方に移動したり、乱れることを防止することができる。
【００２８】
また、シート材２２の表面に、毛先側が上方に向く起毛、ウレタン樹脂のラミネート加工層等からなる滑り止めを施すようにすることができる。
これにより、ベスト２の着用時に、ベスト２の裾が上方に移動したり、乱れることをより確実に防止することができる。
【００２９】
以上、本発明の被服について、腹巻き及びベストの実施例に基づいて説明したが、本発明は上記実施例に記載した構成に限定されるものではなく、各実施例に記載した構成を適宜組み合わせるようにするほか、セーター、ポロシャツ、肌着等の被服一般に適用するようにする等、その趣旨を逸脱しない範囲において適宜その構成を変更することができるものである。
【産業上の利用可能性】
【００３０】
本発明の被服は、装着性、フィット性及び保温性に優れていることから、腹巻きやベストのほか、セーター、ポロシャツ、肌着等の被服一般に適用することができる。
【符号の説明】
【００３１】
１  腹巻き（被服）
１１  スリット
２  ベスト
２１  スリット
２２  シート材
Ｈ０  上半身部
Ｈ１  腹部
Ｈ２  臀部
Ｈ３  大腿部
【図１】
2013129943.tif 000003
【図２】
2013129943.tif 000004
【図３】
2013129943.tif 000005